(57)【要約】【課題】人生は健康で生活環境が豊かであることが幸せである。健康も生涯に亘ることが肝要であることは誰でも熟知しているが、現実は思うに侭ならないのが人生である。従って、よき人生を全とうするには日々の健康に努力するのが肝要であり、恒常的な生体バランスを考慮してストレス解消に努めることがホメオシタス化に通ずるのである。【解決手段】健康を維持するには、日々の些細なストレスでも自己が持つ「英知と努力」で解消することが明日えの幸福と長寿を創出するのである。【選択図】　　　　図１
2004130024.tif 000002
【特許請求の範囲】
【請求項１】
アルミシートなどからなる保温力、反射力のあるシートに単独又は複数個の磁石をセットして、直接又は間接的に人体に接触させることを特徴としたホット、パッドの磁化方法。
【請求項２】
アルミシートの袋状またはＷ状シートにサンドイッチ状に磁石をセットする請求項１の方法。
【請求項３】
ホット．パッドの製品を既製品などの用途製品に挿入又はセットする請求項１、２の方法。
【請求項４】
磁石に強磁性板を加えて影像磁化反応を促進する請求項１、２、３の方法。
【請求項５】
ホット．パッドの袋体にＬ型からなる衣服の装着具を具備する請求項１、２、３、４の方法。
【発明の詳細な説明】
【０００１】
【発明の属する技術分野】
本発明は人体のバランスとストレスの解消を図り、以って人の健康と生活環境の改善及び向上に関する。
【０００２】
【従来の技術】
現下の自然環境の悪化は目に余る地球的な大問題下である。即ち、海や河川や湖沼などの水質の低下と大気汚染は、生物の最悪期と懸念される中で、ヒトの生活にも重大の影響を及ぼす現下にある。然るに、その対策はすこぶる貧困であり、その大半が対象療法的なものである。
【０００３】
【発明が解決しようとする課題】
以上の実情に鑑み磁石とアルミシートの組合せにより生体が有する輻射熱との反応で生体のバランスを改善することが生体の活性化を生み恒常的な健康の安定化を図るものである。
【０００４】
【課題を解決するための手段】
以上の構想に基いて考える中で人の生活環境の活性化が第一的に考慮されるべきである。即ち、生活中に蔓延しているストレスは日本国内外に及んでいる。そこで先ずストレスの起因となる些細な体調から改善しようと言うことから磁石とアルミシートを用いた生体刺激を薬品、薬剤を用いず安価で簡単な方法でしかも半永久的な手法でその解決手段とする。
【０００５】
ストレス病
ストレスとは、１９３６年カナダのハンスセリエ氏によって生れた言葉である。その定義は、「自分のおかれた環境が、個人の能力で対処できない範囲」を越えているという認識をもった時と言っている。そして、そのストレスの負荷が長く続くと「疲労、白髪、生理不順、インポテンツ、インスリンの分泌低下、シミの発生、アトピー性皮膚炎、リューマチ、動脈硬化、うつ状態、絶望感」などを引き起こす多種多様な病気の起因となると主張している。
【０００６】
生体バランス
人の生活する中で、豊かな生活とは、全て生活環境の良、否にあるが、最大要件は「健康」そのものである。即ち、その健康は恒常的であり、生涯に及ぶことである。生物の生体は「動的平衡」を求め、恒常的なホメオシタシス化が「生体バランス」である。
【０００７】
アルミシートなどの「保温、反射力」シートとは（請求項１）
アルミシート、合成樹脂シート、化学繊維、紙類、繊維から作られた編組物、織成物、金属板（シート）、発泡ウレタンなど。
【０００８】
用途及び用途製品（請求項３）
本発明は磁化作用によるホット．パッドで従来の既製品や機械、器具にセット又は組入れ、効果方法と独立した新規製品化を図り、その用途に資するものである。
例えば、寝具類、マットレス、敷布、座布団、腰掛、腹巻、バンド、衣類、サポート、背当てパッド、腰パッド、自動車の座席、椅子、自転車のサドル、サドルカバー、オートバイ、車椅子、シテイバイク、スクーター、自動車椅子など。
【０００９】
適用形態
人体が体外に放熱する輻射熱をアルミシートなどからなるシートに磁石をセットして放射する輻射熱を保温（キャッチ）して再度人体に回帰させる反応作用である。即ち、磁化による「磁化刺激」とホット、パッドの「反射刺激」で、生体バランスの改善を目的としたものである。既製品との組合せも容易で、簡単で安価で有効であり即刻の効果が期待できるホット、パッドの磁化方法である。
【００１０】
【発明の実態の形態】
本発明は、人体の活性化とバランスの恒常化を目的としたものである。磁石は１９６１年に「磁気治療器」が薬事法で認められて以来、多種多様な治療器や器具が氾濫している中で信頼を欠く高価な商品や製品もあり業界の不審の起因と言われる現状下にあるが、磁石が人体に反応する複雑怪奇な部分と磁石が血液中の「ヘモグロビン」に有効的に作用することはよく知れている。
即ち、磁化刺激が血液や筋肉組織液の流体を励起して不安定な状態を改善するものである。
従って、血流などの改善作用と人体より放出される輻射熱をアルミシートなどの保温と反射作用に加えて磁化作用と磁石が持つ「セラミック作用」が反応して「遠赤外線」となり人体への再放射が、ホット感を人体に与えるのである。即ち、輻射熱の回帰作用である。（筋肉の緩和）
従って、その反応は、やわらかくて春日和を思わせる「ポカポカ」感のある、さわやかな目覚め現象である。即ち、このような総合作用が好気的な目覚めを生み生体の活性化とバランスの改善に起因するものである。
本発明は、簡単で安価で容易で而かも半永久的な磁化作用でストレスの解消と生体の活性化が、やる気の起因となり人体各所の緩和と予防を図り、以って、薬品や薬剤を使用しない自然的な治癒力の促進に役立ち、生体バランスの恒常的な改善に貢献するホット、パッドの磁化方法である。
【００１１】
【実施例】
以下実施例による発明実施の態様を説明するが、例示は単なる説明用のもので発明思想の制限又は限定を意味するものではない。
【００１２】
（１）実施例
図１に示す、ホット、パッドを図２に示す通常の座布団の上部又は下部に挿入して使用すると約２０分後には常温の約３〜５度の温度アップがあり、ポカポカの回帰熱反応が気分を爽快にする。
【００１３】
（２）実施例
図３に示す、敷布団のシーツ下に敷いて（足元、腰）寝るとポカポカ感で寝付きが良く、熟睡ができる。
【００１４】
（３）実施例
図４に示す、腹巻の内部にホット、パッド（図１）を挿入して腹部にセットすると、ポカポカ感が心よく「足や腰」が軽く翌朝の目覚めがよく体調が軽快である。
【００１５】
（４）実施例
図５に示す、磁化ホット、パッドは、「ヒモ、バンド」などを用いないで衣類にＬ型装着具をセットして、ポカポカ現象が有効的に期待できるのである。
【００１６】
（５）実施例
図１に示す、ホット、パッドを自転車のサドル下部（裏側）にセットして、女性の人（軽い便秘の人）３人に試乗を依頼したところ、３日〜５日後には、３人共に便秘が改善して体調のバランスが整い体が軽くなったとの報告を受けた。
【００１７】
例　示
本発明は、至極簡単で容易に誰でも使えるホットなパッドである。従って、用途面は多岐に及んでいる。例えば、オフィスの椅子のクッション下部にセットする。自動車の腰掛のクッション下部にセットする。又は上部のシーツ下にセットする。又使い捨て懐炉の代用（永久カイロ）として腹部や腰部にセットする等の用途は多種多様であり、用途はゴマンとあり用途は誰でも容易に考えられる代物であるのに加えて従来の既製品にセットして利用できる便利で容易である。又、新規な製品化も容易で安価で違和感のないホット、パッドである。
【００１８】
【発明の効果】
本発明は極めて単純な方法であるが、効果や用途面はすこぶる広範であるり有効的である。而かも、安価で簡単で容易で故障もなく半永久的に使われる代物で誰れでも容易に使われて日常的に生活に業務に役立つ効果に加えて「健康」に大いに貢献できる磁石によるホット、パッドである。従って、民生に社会に役立ち貢献できるものである。
【図面の簡単な説明】
【図１】本発明のホット、パッドの一部切欠平面図
【図２】ホッド、パッドを座布団に挿入した状態を示す平面図
【図３】ホット、パッドをシーツに挿入した状態を示す平面図
【図４】ホッド、パッドを腹巻に挿入した状態を示す平面図
【図５】ホッド、パッドにＬ型装着具を取付けた状態を示す正面図
【図６】本発明のホッド、パッドの縦断面図
【符号の説明】
１　ホッド。パッド
２　カバー
３　アルミシート
４　発泡ウレタン
５　磁石
６　カシメ部材
７　軸
８　座布団
９　シーツ
１０　腹巻
１１　Ｌ型装着具
１２　座金
【図１】
2004130024.tif 000003
【図２】
2004130024.tif 000004
【図３】
2004130024.tif 000005
【図４】
2004130024.tif 000006
【図５】
2004130024.tif 000007
【図６】
2004130024.tif 000008